(57)【要約】【課題】遊技機島の設置時のみならず遊技機島設置後においても、レベル調整が極めて簡単であり、どのようなスペースにも自由にレイアウトでき、作業時間が短縮でき、しかも熟練した技術を必要としない、遊技機用フレームのレベル調整機構を提供する。【解決手段】床固定用金具、該床固定用金具に取り付けられるＵ字状フレームからなる遊技機用フレームであって、Ｕ字状フレームの下端両側部にレベル調整機構を設けた遊技機用フレームのレベル調整機構である。前記レベル調整機構は、Ｕ字状フレームの下端両側部に螺合したアジャスターボルトとすることができる。床固定用金具は、Ｕ字状フレームを抱持する取付台及びＵ字状フレームを連結固定するための長孔付きの固定板とから構成することができる。床固定用金具に、前記Ｕ字状フレームの下端両側部に螺合したアジャスターボルトを外側から調整可能な間隙を設ける。【選択図】図３
2004173851.tif 000002
【特許請求の範囲】
【請求項１】
床固定用金具、該床固定用金具に取り付けられる対向する垂直柱と該柱の下端を連結した水平枠で構成されたＵ字状フレームからなる遊技機用フレームであって、該Ｕ字状フレームの下端両側部にレベル調整機構を設けた遊技機用フレームのレベル調整機構。
【請求項２】
前記Ｕ字状フレームの下端両側部に設けたレベル調整機構が、該Ｕ字状フレームの下端両側部に螺合したアジャスターボルトであることを特徴とする請求項１に記載の遊技機用フレームのレベル調整機構。
【請求項３】
前記床固定用金具が、前記Ｕ字状フレームの水平枠を抱持する取付台及び前記Ｕ字状フレームの垂直柱を連結固定するための長孔付きの固定板とからなることを特徴とする請求項１又は請求項２に記載の遊技機用フレームのレベル調整機構。
【請求項４】
前記床固定用金具に、前記Ｕ字状フレームの下端両側部に螺合したアジャスターボルトを外側から調整可能な間隙を設けたことを特徴とする請求項１から請求項３のいずれかに記載の遊技機用フレームのレベル調整機構。
【請求項５】
前記Ｕ字状フレームの水平枠に回収樋取付用基台を取り付けたことを特徴とする請求項１から請求項４のいずれかに記載の遊技機用フレームのレベル調整機構。
【発明の詳細な説明】
【０００１】
【発明の属する技術分野】
本発明は複数の遊技機が配置された遊技機島において、遊技機の設置時のみならず遊技機設置後においても、遊技機を取り付けるための柱に当たる遊技機用フレームのレベル調整機構に関する。
【０００２】
【従来の技術】
遊技場において、複数のパチンコ機、スロットマシーンのような遊技機を１列又は２列に配置した遊技機島を構成するのが一般的である。この遊技機島に複数の遊技機を配置、設置するに際しては、各遊技機の水平方向及び垂直方向のレベル出しが必要であるが、この作業は極めて手間の掛かるものとなっており、熟練した技術と長時間に亘る作業時間が必要になっている。
【０００３】
遊技場の床面に細長い大型のベース支持台を設置する際には、遊技場の床面にはうねりや傾きなどがあるので、ベース支持台の水平方向のレベル出しに、多大の労力と長時間の作業時間及び熟練した技術を必要としている。たとえ、該ベース支持台の水平方向のレベル出しができたとしても、加えて複数の遊技機を設置して、垂直方向のレベル出しを個別的に調整しなければならなかった。そして、このような調整において、一つの遊技機の設置調整を行うと他の隣接する遊技機の取り付けに影響を及ぼすため、全ての遊技機が均一に調整されるためには作業者の熟練と長い調整時間を必要としていた。
【０００４】
遊技機のレベル出しは、遊技機の設置時のみならず、遊技機設置後においても重要な作業である。遊技機設置後、床面の変化や遊技機島全体のゆがみ等により、遊技機島を形成する各遊技機にレベルの異常が生じ、レベルを再調整する必要が生じる。
【０００５】
遊技機島を設置するに際して、取り付けが容易なフレーム構造、ベース支持台や支持枠の構造に関し、種々の工夫がなされてきている。例えば、特開２００２−１４３４８６には、パチンコ遊技機の外枠の上板に外枠取付補助装置を用いて、一人でも容易に、外枠を合せた傾斜に簡単に調整して遊技場施設の固定フレームに固定できるパチンコ遊技機が記載され、特開２００１−１８７２５８には、現場での寸法調整が容易で、架台の構築も容易であり、しかも安定した架台となる遊技機島の架台設備が記載され、特開平９−２９９５８５には、遊技機島全体の構築作業が簡単で、構成部材の取付位置や島奥行幅を適宜調整することができる遊技機島のフレーム構造が記載され、特開平１０−１５２１５には、専門技術を必要とせず、配置間隔を簡単に設定できる遊技場の島構造が記載され、特開平１１−４７４１８には、遊技機の取り付けや取り外し作業が容易で、組み立て時に遊技機島の直進性や垂直性を出すことができる遊技機島のフレーム構造が記載され、特開平２０００−１４９１４には、遊技機の設置調整が簡単で、かつどのようなスペースにも自由にレイアウトできる遊技機独立島ベース支持台が記載されている。しかしながら、遊技機島設置後のフレームのレベル調整機構は知られていないのが現状である。
【０００６】
【発明が解決しようとする課題】
本発明は前記課題に鑑みてなされたもので、本発明は、遊技機の設置時のみならず遊技機設置後においても、フレームのレベル調整が極めて簡単であり、どのようなスペースにも自由にレイアウトでき、作業時間が短縮でき、しかも熟練した技術を必要としない、遊技機用フレームのレベル調整機構を提供しようとするものである。
【０００７】
【課題を解決するための手段】
本発明の要旨は、床固定用金具、該床固定用金具に取り付けられる対向する垂直柱と該柱の下端を連結した水平枠で構成されたＵ字状フレームからなる遊技機用フレームであって、該Ｕ字状フレームの下端両側部にレベル調整機構を設けた遊技機用フレームのレベル調整機構である。
【０００８】
前記Ｕ字状フレームの下端両側部に設けたレベル調整機構は、該Ｕ字状フレームの下端両側部に螺合したアジャスターボルトとすることができる。また、前記床固定用金具が、前記Ｕ字状フレームの水平枠を抱持する取付台及び前記Ｕ字状フレームの垂直柱を連結固定するための長孔付きの固定板とから構成することができる。そして、前記床固定用金具に、前記Ｕ字状フレームの下端両側部に螺合したアジャスターボルトを外側から調整可能な間隙を設けることができる。更に、前記Ｕ字状フレームの水平枠に回収樋取付用基台を取り付けることができる。
【０００９】
本発明の特徴は、複数の遊技機を載置する遊技機島用フレームにおいて、該フレームが固定用金具、該固定金具に取り付けられる対向する垂直柱と該柱の下端を連結した水平枠で構成されたＵ字状フレームからなり、該Ｕ字状フレームの下端両側部にレベル調整機構を設けた遊技機用フレームのレベル調整機構にある。該フレームのレベル調整機構として、前記Ｕ字状フレームの下端両側部に螺合したアジャスターボルトを使用することができる。該アジャスターボルトを調整することにより、フレームのレベル出しを行うのである。また、前記床固定用金具は、前記Ｕ字状フレームの水平枠を抱持する取付台及び前記Ｕ字状フレームの垂直柱を連結固定するための長孔付きの固定板とから構成することができる。前記アジャスターボルトは、前記床固定用金具の取付台上に載置され、前記床固定用金具の固定板と取付台との間に生じる間隙から、該アジャスターボルトを外側から調整し、フレームのレベル出しを行うことができる。このため、遊技機用フレームのレベル調整はパチンコ玉回収樋や遊技機の取り付けと平行して行うことができ、また、遊技機等を取り付けた後でも遊技機用フレームのレベル調整を簡単に行うことができる。これによって、施工期間の短縮が可能となり、更に施行後のフレームのレベル調整にも対応できるようになる。
【００１０】
【発明の実施の形態】
本発明を実施形態に基づいて説明する。遊技機島の一部正面を図１に示した。遊技機島１は、遊技機３を複数並列したものである。遊技機の上方に、ランプパネル６が設けられ、その上方に上部ユニット２が設けられる。遊技機３の下方には、下部ユニット５が設けられる。各遊技機の間隙には、装飾板４が設けられる。
【００１１】
遊技機島は、遊技機用フレームを多数列設して、このフレームに上部ユニット、下部ユニット、遊技機などをを配置して組み立てられる。この遊技機用フレームは外側よりレベル出しを容易に行うことのできるレベル出し機構を備えている。このようなレベル出し機構を備えたフレームを設けることにより、遊技機島設置時のみならず設置後のフレームのレベル出しを容易に行うことができる。
【００１２】
遊技機島の側面の断面を図２に示した。遊技機島１は、基本的には、水平枠８と水平枠の両端に取り付けられた垂直柱９ａ、９ｂ、からなるＵ字状フレームに支えられている。遊技機島１には、遊技機３がほぼ中心に据えられ、遊技機の上方には、幕板１１、玉置棚１０、ランプパネル６が、そして、遊技機３の下方には、下部ユニット５が設けられ、下部ユニット５は膳板７、腰板１４を保持している。その他、各遊技機から排出されるパチンコ玉を回収するための回収樋取付基台１２が設けられている。
【００１３】
レベル出し機構を備えた遊技機用フレームの構成部品を図３に、その組み立て図を図４に示した。遊技機用フレームは、取付台３２と固定板２１、２２とからなる床固定用金具４３及び２本の垂直柱２７、２８と水平枠２９とからなるＵ字状フレーム３８から構成される。取付台３２は、水平板３３及び水平板の両端から立ち上げた２個の垂直板３６、３７とからなる。２個の垂直板３６、３７により水平枠２９を抱持する凹部を形成している。取付台３２は、アンカーボルト２５、２６により床面に固定される。固定板２１、２２は、取付台３２の垂直板３６、３７と直交して垂直板３６、３７の両端面に水平板３３より浮かせた状態で固定される。固定板２１、２２には取付台３２の垂直板３６、３７で形成された凹部に対応する部位を中心に長孔４０ａ、４０ｂを穿設している。
【００１４】
床固定金具４３の垂直板３６、３７の間に形成される凹部に、Ｕ字状フレーム３８の水平枠２９が抱持される。Ｕ字状フレーム３８の下端両側部に、アジャスターボルト３０、３１が下側から上に向かって螺合されている。Ｕ字状フレーム３８は、アジャスターボルト３０、３１の頭を取付台３２の水平板３３に載置することにより、床固定金具４３の垂直板３６、３７で形成される凹部に抱持される。固定板２１、２２に設けられた長孔４０ａ、４０ｂとＵ字状フレームの垂直柱２８、２９に設けられた孔４１ａ、４１ｂとを合わせ、ボルト４２ａ、４２ｂによって、Ｕ字状フレーム３８は床面固定金具４２に固定板２１、２２を介して固定される。この際、まずアジャスターボルト３０、３１を調整してレベル出しを行い、レベル出しの後、垂直柱２８、２９の孔４１ａ、４１ｂと固定板２１、２２の長孔４０ａ、４０ｂを合わせて、ボルト４２ａ、４２ｂを締め付けることにより、Ｕ字状フレーム３８を床面固定金具４３に抱持、固定する。
【００１５】
固定板２１、２２は、取付台３２の水平板３３から距離をおいて取り付けられており、固定板２１、２２の下方に、間隙が生じる。この間隙を利用してアジャスターボルト３１を外側から操作することができる。即ち、床固定用金具の取付台３２と固定板２１、２２との間に設けた調整可能な間隙を利用して、外側からアジャスターボルト３０、３１を調整してフレーム３８のレベル出しを行う。
【００１６】
遊技機島は、遊技機用フレームを多数列設して構成する。まず、遊技機用フレームを固定するための位置を床面に墨出しを行う。この墨出し線に合わせて、床固定金具４３をアンカーボルト２５、２６により一定間隔で固定していく。次に、床固定用金具４３にＵ字状フレーム３８を取り付ける。このときＵ字状フレーム３８の水平枠２９が床固定用金具４３の垂直板３６、３７の凹部に抱持されるので、Ｕ字状フレーム３８は自立する。この後に、Ｕ字状フレーム３８のアジャスターボルト３０、３１を調整してレベル出しを行い、ボルト４２ａ、４２ｂで固定することができる。
【００１７】
本発明の遊技機用フレームのレベル調整機構は、施行後にも調整可能なので他の作業と平行して行うことができる。例えば、図５に示すようにフレームの強度を増すための連結部材２３、２４、３４、３５等を床固定金具４３の固定板２１、２２の両側に固定するのと平行して行うこともできる。また、図示していないが、隣同士のＵ字状フレームの垂直柱２８、２８’又は２７、２７’に上部ユニット２や下部ユニット５を取り付けるのと平行して行うことができる。更には、図６に示すように、回収樋基台１２を取り付け回収樋を平行して取り付けることができる。最終的には、これらの上部ユニット２や下部ユニット５を利用して遊技機が設置される。Ｕ字状フレームは金属製であるので、フレーム間には遊技機を複数設置できる。
【００１８】
本発明のフレームのレベル出し機構は、仮組の状態においても、上部ユニット、下部ユニット、回収樋等を取り付けることができる。従来は、遊技機島の全体骨格を組み立てた後で、上部ユニット、下部ユニット、回収樋等が設置されていた。従って、本発明のフレームのレベル出し機構により、遊技機島組み立ての所要時間が短縮されるという効果を同時に奏する。
【００１９】
【発明の効果】
本発明の特徴は、床固定用金具、該床固定用金具に抱持されるＵ字状フレームからなる遊技機組用フレームにおいて、床固定用金具に、前記Ｕ字状フレームの下端両側部に螺合したアジャスターボルトを外側から調整可能な間隙を設け、その間隙を利用して、アジャスターボルトを調整してフレームのレベル出しを行う点にある。従って、遊技機、上部ユニットや下部ユニット等をフレームに配置、設置しても、フレームの水平方向及び垂直方向のレベル出しが容易に行うことができる。また、床固定用金具とＵ字状フレームを仮組状態で、上部ユニット、下部ユニット、回収樋等を取り付けることができる。これに伴って、遊技機島の組み立てが容易になり、遊技機島組み立ての作業時間が短縮され、しかも、熟練した技術も必要がないという効果を奏する。
【００２０】
本発明は、遊技機島を配置設置する際のみならず遊技機島の設置後においても、フレームのレベル出しが容易であり、遊技機島設置調整の能率がよいという効果を奏する。
【００２１】
更に、遊技機島を他の場所に移転する場合、従来の、フレーム構造では遊技機島を解体廃棄する以外に再利用の途は無かったのであるが、本発明のフレームは、解体、再構成が容易にでき、しかも、レベル出しも容易であるため、遊技機島の移転も極めて簡単となり、資源有効利用の観点からも、その効果は大きいものがある。
【図面の簡単な説明】
【図１】遊技機島の一部正面を示す図である
【図２】遊技機島の側面の断面を示す図である
【図３】フレームユニットの構成を示す図である
【図４】フレームユニットの組み立て状態を示す図である
【図５】複数フレームユニットを連結した状態を示す図である
【図６】回収樋基台を取り付けたフレームを示す図である
【符号の説明】
１                    遊技機島
２                    上部ユニット
３                    遊技機
４                    装飾板
５                    下部ユニット
６                    ランプパネル
７                    膳板
８                    水平枠
９ａ、９ｂ            垂直柱
１０                  玉置棚
１１                  幕板
１２                  回収樋基台
１４                  腰板
２１、２２            固定板
２３、２４            連結部材
２５、２６            アンカーボルト
２７、２８            垂直柱
２９                  水平枠
３０、３１            アジャスターボルト
３２                  取付台
３３                  水平板
３４、３５            連結部材
３６、３７            垂直板
３８                  Ｕ字状フレーム
４０ａ、４０ｂ        長孔
４１ａ、４１ｂ        孔
４２ａ、４２ｂ        ボルト
４３                  床固定用金具
【図１】
2004173851.tif 000003
【図２】
2004173851.tif 000004
【図３】
2004173851.tif 000005
【図４】
2004173851.tif 000006
【図５】
2004173851.tif 000007
【図６】
2004173851.tif 000008